(57)【要約】【課題】座部に座った姿勢のまま横方向に移乗することができるとともに、コンパクトに折り畳むことができる浴室用折り畳み椅子を提供する。【解決手段】上端部に背もたれ４が取り付けられるとともに、略水平な対向する水平部を有する前脚２と、前脚２の各水平部の下方に配置された略水平な水平部を有し、該水平部の先端が前脚２の水平部の略中間位置に回動自在に軸支された後脚３と、前脚２と後脚３との軸支部（ヒンジピンｐ）よりも後方に位置して前脚２の対向する水平部間に回動自在に軸支されるとともに、前脚２に支持可能な座部４と、からなり、座部４の後端部にリンク６の一端部が回動自在に軸支されるとともに、その他端部が後脚３に回動自在に軸支され、前脚２および後脚３の開脚時に座部４が前脚２に水平状態で支持される一方、前脚２および後脚５の閉脚時に座部４がリンク６を介して略垂直状態に格納される。【選択図】図５
2007037608.tif 000002
【特許請求の範囲】
【請求項１】
上端部に背もたれが取り付けられるとともに、略水平な対向する水平部を有する前脚と、前脚の各水平部の下方に配置された略水平な水平部を有し、該水平部の先端が前脚の水平部の略中間位置に回動自在に軸支された後脚と、前脚と後脚との軸支部よりも後方に位置して前脚の対向する水平部間に回動自在に軸支されるとともに、前脚に支持可能な座部と、からなり、座部の後端部にリンクの一端部が回動自在に軸支されるとともに、その他端部が後脚に回動自在に軸支され、前脚および後脚の開脚時に座部が前脚に水平状態で支持される一方、前脚および後脚の閉脚時に座部がリンクを介して略垂直状態に格納されることを特徴とする浴室用折り畳み椅子。
【請求項２】
前記座部が略垂直状態にあるとき、リンクの一端部と座部の後端部との軸支部が、リンクの他端部と後脚との軸支部および前脚と座部との軸支部を結ぶ線分を越えて前脚と後脚との軸支部側にあることを特徴とする請求項１記載の浴室用折り畳み椅子。
【請求項３】
前記前脚と後脚との軸支部が、前脚の接地部中心および後脚の接地部中心を結ぶ線分を底辺とする二等辺三角形の頂点に位置することを特徴とする請求項１または２記載の浴室用折り畳み椅子。
【発明の詳細な説明】
【技術分野】
【０００１】
本発明は、浴室用折り畳み椅子に関する。
【背景技術】
【０００２】
一般に、病人、老人、身体障害者などは、入浴時に椅子に腰掛けて体を洗うのが好都合である。しかし、通常、浴室は狭いため、不使用時には折り畳んでコンンパクトにすることができる浴室用椅子が好ましい。このような観点から、折り畳み可能な浴室用椅子が、従来から提案されている。
【０００３】
例えば、特許文献１には、前脚に対して後脚を開閉できるように軸支し、不使用時には、コンパクトに折り畳むことのできるシャワー用折り畳み椅子が記載されている。
【特許文献１】特開２００２−１９１５２３号公報
【発明の開示】
【発明が解決しようとする課題】
【０００４】
しかしながら、前述の折り畳み椅子には、肘掛け（アームレスト）が設けられており、肘掛けを利用して身体を支えることができる利点はあるものの、椅子の座部からバスタブに移る際に肘掛けに阻止されて、そのまま横方向に移乗することができない。このため、利用者は、椅子から一旦立ち上がった後、歩行してバスタブに移らなければならず、介護者に負担を強いるものとなっていた。
【０００５】
本発明は、このような問題に鑑みてなされたものであって、座部に座った姿勢のまま横方向に移乗することができるとともに、コンパクトに折り畳むことができる浴室用折り畳み椅子を提供するものである。
【課題を解決するための手段】
【０００６】
本発明は、上端部に背もたれが取り付けられるとともに、略水平な対向する水平部を有する前脚と、前脚の各水平部の下方に配置された略水平な水平部を有し、該水平部の先端が前脚の水平部の略中間位置に回動自在に軸支された後脚と、前脚と後脚との軸支部よりも後方に位置して前脚の対向する水平部間に回動自在に軸支されるとともに、前脚に支持可能な座部と、からなり、座部の後端部にリンクの一端部が回動自在に軸支されるとともに、その他端部が後脚に回動自在に軸支され、前脚および後脚の開脚時に座部が前脚に水平状態で支持される一方、前脚および後脚の閉脚時に座部がリンクを介して略垂直状態に格納されることを特徴とするものである。
【０００７】
本発明によれば、前脚の対向する水平部間に座部が回動自在に軸支され、また、前脚の水平部の下方に後脚の水平部が配置されて回動自在に軸支されているため、座部が前脚に支持された略水平状態にあるとき、座部の側方に使用者の移動を阻害する障害物は存在しない。このため、使用者は、座部に座った姿勢のまま横方向に移動することができ、浴室用椅子からバスタブへ移乗するに際して介護者に大きな負担を強いることがない。
【０００８】
一方、座部をその前端部を把持して上方に持ち上げれば、座部が前脚との軸支部回りに回動するとともに、リンクを介して後脚を押し下げて、後脚を前脚に対して接近する方向に前脚との軸支部回りに回動させるため、座部を略垂直状態に格納することができる。
【０００９】
本発明において、前記座部が略垂直状態にあるとき、リンクの一端部と座部の後端部との軸支部が、リンクの他端部と後脚との軸支部および前脚と座部との軸支部を結ぶ線分を越えて前脚と後脚との軸支部側にあると、リンクの一端部と座部の後端部との軸支部、リンクの他端部と後脚との軸支部、前脚と座部との軸支部が、二つのリンクをく字状に連結して形成されるトグル機構の連結点となることから、座部の自重によっては、座部が略水平位置に復帰することはなく、座部は、略垂直状態に保持される。
【００１０】
なお、座部を略水平位置に復帰させるように、その前端部を把持して押し下げると、各軸支部のガタにより、前脚と後脚との軸支部側に位置しているリンクの一端部と座部の後端部との軸支部を、リンクの他端部と後脚との軸支部および前脚と座部との軸支部を結ぶ線分を越えて位置させることができる。このため、座部を前脚との軸支部回りに回動させるとともに、リンクを介して後脚が引き上げられて、後脚が前脚に対して開き出す方向に前脚との軸支部回りに回動し、座部は、略水平状態となる。この際、座部は、前脚に支持される。
【００１１】
本発明において、前記前脚と後脚との軸支部が、前脚の接地部中心および後脚の接地部中心を結ぶ線分を底辺とする二等辺三角形の頂点に位置すると、前脚および後脚の閉脚時であっても前脚および後脚を介して自立することができ、好ましい。
【発明の効果】
【００１２】
本発明によれば、座部に座った姿勢のまま横方向に移乗することができるとともに、コンパクトに折り畳むことができる。
【発明を実施するための最良の形態】
【００１３】
以下、本発明の浴室用折り畳み椅子１の実施の形態について、図面を参照しながら説明する。
【００１４】
図１乃至図３には、本発明の浴室用折り畳み椅子１の一実施形態が示されている。
【００１５】
この浴室用折り畳み椅子１は、前脚２と、前脚２に回動自在に軸支された後脚３と、前脚２および後脚３にわたって設けられた座部４と、前脚２の上端部に取り付けられた背もたれ５と、から構成されている。
【００１６】
前脚２は、正面より見て略逆Ｕ字状に屈曲されるとともに、側方より見て略縦Ｚ字状に屈曲された前脚本体２１と、前脚本体２１の各端部にそれぞれ摺動自在に嵌挿された一対の前伸縮脚２２と、からなり、金属製パイプ、例えば、防錆性や軽量性が優れたアルミニウムパイプで形成されている。そして、前脚本体２１の各端部近傍には、バネ２３（図４および図５参照）を介して外周面から突出するように位置決めピン２４が設けられている。また、側方より見て略縦Ｚ字状の前脚本体２１の対向する各水平部の中間部には、プラスチック製のヒンジブラケット２５がそれぞれ固定されているとともに、その対向する水平部の前端部間および後端部近傍間には、前脚本体２１を補強する補強杆２６，２６１がそれぞれ溶着されている。
【００１７】
一方、前伸縮脚２２には、前脚本体２１に設けられた位置決めピン２４に対応して、設定間隔をおいて複数個の位置決め穴２２ａが形成されており、位置決め穴２２ａに位置決めピン２４を嵌合させることにより、前脚本体２１に対する前伸縮脚２２の伸縮量を調節して固定することができる。また、前伸縮脚２２の下端部には、脚ゴム２７が装着されており、洗い場面を傷つけたり、滑ることを防止できる。
【００１８】
後脚３は、側方より見て略逆Ｌ字状に屈曲された一対の後脚本体３１と、各後脚本体３１の下端部に摺動自在に嵌挿された後伸縮脚３２と、からなり、前脚２と同様に、アルミニウムパイプで形成されている。そして、各後脚本体３１の下端部近傍には、バネ３３（図４および図５参照）を介して外周面から突出するように、位置決めピン３４が設けられている。また、側方より見て略逆Ｌ字状の後脚本体２１の水平部は、前述した前脚本体２１の水平部の下方に配置され、その先端部、すなわち、前端部には、ヒンジブラケット３５が固定されている。このヒンジブラケット３５は、前述した前脚本体２１に固定されたヒンジブラケット２５を支持するとともに、ヒンジブラケット２５とヒンジピンｐを介して連結されている。このため、前脚本体２１に対して各後脚本体３１をヒンジピンｐ回りに回動させることができる。
【００１９】
ここで、ヒンジピンｐは、前脚２の接地部中心（脚ゴム２７の中心）および後脚３の接地部中心（脚ゴム３７の中心）間を結ぶ線分を底辺とする二等辺三角形の頂点に位置するように設定されている。
【００２０】
なお、後脚本体３１の水平部と略垂直部との対向する交差部近傍間には、補強杆３６が溶着されており、一対の後脚３，３を同調して作動させることができる。
【００２１】
一方、後伸縮脚３２には、後脚本体３１に設けられた位置決めピン３４に対応して、設定間隔をおいて複数個の位置決め穴３２ａが形成されており、位置決め穴３２ａに位置決めピン３４を嵌合させることにより、後脚本体３１に対する後伸縮脚３２の伸縮量を調節して固定することができる。また、後伸縮脚３２の下端部には、脚ゴム３７が装着されており、洗い場面を傷つけたり、滑ることを防止できる。
【００２２】
なお、前脚２および後脚３の材質としては、アルミ以外に、鉄あるいはステンレスであってもよい。
【００２３】
座部４は、図２に詳細に示すように、略方形中空状のプラスチック製座本体４１と、座本体４１に合致する形状に形成されて座本体４１の上面全体を覆う発泡プラスチック製のクッション部４２と、からなり、座本体４１には複数個の嵌合穴４１ａが形成され、一方、クッション部４２の裏面には、座本体４１の嵌合穴４１ａに嵌合する突出部４２ａが下方に向けて形成されている。したがって、座本体４１の嵌合穴４１ａにクッション部４２の突出部４２ａを嵌合させることにより、クッション部４２を座本体４１から簡単に取り外して洗浄したり、交換することができる。また、使用者が座部４に座ったときに、臀部はクッション部４２のみに接触するので、座り心地がよい。
【００２４】
なお、座本体４１およびクッション部４２には、両者を貫通する複数個の水抜き穴４ａ（図１参照）が形成されている。
【００２５】
さらに、座本体４１は、その略中間部の後端寄りが、前述した前脚本体２１の対向する水平部の後端部近傍間に溶着された補強杆２６１に回動自在に連結されている他、その後端部がリンク６の一端部と回動自在に連結され、該リンク６の他端部が、前述した後前脚本体３１の水平部と略垂直部との対向する交差部近傍間に溶着された補強杆３６に回動自在に連結されている。
【００２６】
したがって、図４において、座部４の前端部を把持して持ち上げると、座部４は、前脚２との軸支部（補強杆２６１）回りに時計回り方向に回動し、略垂直状態に格納することができる。このとき、座部４の後端部がリンク６の一端部と軸支され、リンク６の他端部が後脚３の後脚本体３１（補強杆３６）と軸支されていることから、座部４がリンク６を介して後脚３を押し下げ、後脚３をヒンジピンｐ回りに時計回り方向に回動させる。このため、前脚本体２１に対して後脚３を接近させ、前脚２および後脚３を閉脚することができる（図５参照）。
【００２７】
一方、図５において、座部４の前端部を把持して押し下げると、座部４は、前脚２との軸支部（補強杆２６１）回りに反時計回り方向に回動し、前脚２の補強杆２６に略水平状態に支持することができる。このとき、座部４がリンク６を介して後脚３を引き上げ、後脚３をヒンジピンｐ回りに反時計回り方向に回動させ、前脚本体２１に対して後脚３を離隔させ、前脚２および後脚３を開脚することができる（図４参照）。
【００２８】
背もたれ５は、図２に示すように、略方形中空状のプラスチック製背もたれ本体５１と、背もたれ本体５１に合致する形状に形成されて背もたれ本体５１の前面全体を覆う発泡プラスチック製のクッション部５２と、からなり、背もたれ本体５１には複数個の嵌合穴５１ａが形成され、一方、クッション部５２の裏面には、背もたれ本体５１の嵌合穴５１ａに嵌合可能な突出部５２ａが後方に向けて形成されている。したがって、背もたれ本体５１の嵌合穴５１ａにクッション部５２の突出部５２ａを嵌合させることにより、クッション部５２を背もたれ本体５１から簡単に取り外して洗浄したり、交換することができる。この場合、クッション部５２の突出部５２ａは、背もたれ本体５１の嵌合穴５１ａから容易に脱落しないように、一定の摩擦力で嵌合されるものである。また、使用者が座部４に座ったとき、使用者の背中はクッション部５２のみに接触するので、座り心地がよい。
【００２９】
なお、背もたれ本体５１およびクッション部５２には、両者を貫通する把持穴５ａ（図１参照）が形成されており、該把持穴５ａに指を挿入して、椅子１を持ち運びすることができる。
【００３０】
また、背もたれ５の背もたれ本体５１は、前脚本体２１の水平な上端部および該前脚本体２１の水平な上端部に固定された取付金具７とビス止めされている。
【００３１】
次に、このように構成された浴室用折り畳み椅子１の作動について説明する。
【００３２】
浴室用折り畳み椅子１が図１および図４に示す作業位置にあるとき、座部４は、前脚２の補強杆２６１に回動自在に連結されるとともに、前脚２の補強杆２６に略水平状態で支持されている。また、前脚２に対して後脚３が互いに離隔するように開脚され、それらの脚ゴム２７，３７は、床面に接地されている。
【００３３】
この状態で使用者は、座部４に座って体を洗うことができる。この際、使用者の臀部および背中には、座本体４１および背もたれ本体５１を覆って設けられたクッション部４２、５２が接触するので、冬場の冷たさを緩和することができるとともに、座り心地が良い。また、入浴する場合は、座部４の側方に障害物が存在しないため、そのまま横方向に移動することができる。すなわち、座部４を、図示しないバスタブの框上面に連続するように配置することにより、臀部を座部４からバスタブの框に簡単に移乗させることができ、介護者に負担を強いることがない。
【００３４】
使用が終了すれば、使用者は、図１および図４において、座部４の前端部を把持して持ち上げれば、座部４は、前脚２との軸支部（補強杆２６１）回りに時計回り方向に回動する。このとき、座部４の後端部がリンク６の一端部と軸支され、リンク６の他端部が後脚３の後脚本体３１（補強杆３６）と軸支されていることから、座部４がリンク６を介して後脚３を押し下げ、後脚３をヒンジピンｐ回りに時計回り方向に回動させ、前脚本体２１に対して後脚３を接近させ、前脚２および後脚３を閉脚することができる。しかも、閉脚された前脚２および後脚３は同一高さ位置で床面に接地するとともに、略垂直状態の座部４も閉脚された前脚２および後脚３間に配置されるため、格納状態に前脚２および後脚３を閉脚した場合であっても、浴室用折り畳み椅子１は自立する。この結果、浴室用折り畳み椅子１を自立しつつ小さなスペースで保管することができる（図５参照）。
【００３５】
この状態では、リンク６の一端部と座部４との軸支部が、リンク６の他端部と後脚３との軸支部（補強杆３６）および前脚２と座部４との軸支部（補強杆２６１）を結ぶ線分を越えて前脚２と後脚３との軸支部（ヒンジピンｐ）側にあって、前脚２と座部４との軸支部（補強杆２６１）、リンク６の一端部と座部４との軸支部、リンク６の他端部と後脚３との軸支部（補強杆３６）は、二つのリンクをく字状に連結して形成されるトグル機構の連結点となる。このため、座部４の自重によっては、前脚２と後脚３との軸支部（ヒンジピンｐ）側に位置しているリンク６の一端部と座部４との軸支部が、リンク６の他端部と後脚３との軸支部（補強杆３６）および前脚２と座部４との軸支部（補強杆２６１）を結ぶ線分を越えることはなく、座部４は、略垂直状態に保持される。
【００３６】
一方、浴室用折り畳み椅子１を使用する場合は、格納状態にある図５において、座部４の前端部を把持して押し下げると、座部４は、前脚２との軸支部（補強杆２６１）回りに反時計回り方向に回動する。すなわち、各軸支部のガタにより、前脚２と後脚３との軸支部（ヒンジピンｐ）側に位置しているリンク６の一端部と座部４の後端部との軸支部を、リンク６の他端部と後脚３との軸支部（補強杆３６）および前脚２と座部４との軸支部（補強杆２６１）を結ぶ線分を越えて位置させることができる。したがって、座部４がリンク６を介して後脚３を引き上げ、後脚３をヒンジピンｐ回りに反時計回り方向に回動させ、前脚本体２１に対して後脚３を離隔させ、前脚２および後脚３を開脚することができる（図４参照）。
【図面の簡単な説明】
【００３７】
【図１】本発明の浴室用折り畳み椅子の一実施形態を示す斜視図である。
【図２】図１の浴室用折り畳み椅子における座部および背もたれの分解斜視図である。
【図３】図１の浴室用折り畳み椅子を一部省略して示す拡大斜視図である。
【図４】図１の浴室用折り畳み椅子の使用状態を示す側面図である。
【図５】図１の浴室用折り畳み椅子の格納状態を示す側面図である。
【符号の説明】
【００３８】
１  浴室用折り畳み椅子
２  前脚
３  後脚
４  座部
５  背もたれ
【図１】
2007037608.tif 000003
【図２】
2007037608.tif 000004
【図３】
2007037608.tif 000005
【図４】
2007037608.tif 000006
【図５】
2007037608.tif 000007